(57)【要約】【課題】  各種の原稿サイズを検知することで、用紙サイズにあった変倍率を自動で設定して制御できる画像形成装置を提供すること。【解決手段】  原稿のサイズを検知して、転写紙にあった用紙に変倍する。原稿サイズは、図３に示すように、ミリ系（Ａ系列／Ｂ系列）のサイズと、インチ系（Ｅｎｇ系列／Ａｒｃ系列）のサイズが存在する。そのサイズを図３に示す第１センサから第４センサのセンサの位置で検知したサイズを、図７に示す表のように第１原稿群、第２原稿群、第３原稿群、第４原稿群、第５原稿群に分けて検知し、あらゆる原稿サイズを検知できるようにする。そして、原稿のサイズは、ミリ系／インチ系などの原稿が存在するので、その原稿を検知した位置によってどのような変倍率で変倍処理を行うかを切り替えられるようにする。【選択図】     図３
2006080796.tif 000002
【特許請求の範囲】
【請求項１】
原稿の画情報を読み取る画情報読取手段と、
この画情報読取手段で読み取った画情報を所定の転写紙に形成する記録・印字手段と、
前記画情報読取手段で読み取った画像情報を記憶する画情報メモリと、
この画情報メモリに記憶された画情報を編集する画情報編集手段と、
この画情報編集手段で画情報を編集する際、当該画情報を変倍する変倍手段と、
各種設定を受け付ける操作・表示手段と、
前記画情報読取手段に原稿が設置された際、当該原稿の端部を検知する複数のセンサと、
前記複数のセンサのうちどのセンサが原稿の端部を検知したかで、当該原稿のサイズを判断する判断手段と、を備え、
前記判断手段の判断を基に、操作・表示手段で受け付けた各種設定に応じて、前記変倍手段が変倍処理を行うことを特徴とする画像形成装置。
【請求項２】
前記複数のセンサは、４個のセンサであり、その検知位置で当該原稿がミリ原稿（Ａ系列原稿、Ｂ系列原稿）と、インチ原稿（Ｅｎｇ系原稿、Ａｒｃ系原稿）のいずれかであることを検知することを特徴とする請求項１記載の画像形成装置。
【請求項３】
前記操作・表示手段で設定を受け付けることにより、ミリ系およびインチ系の４モードに切り替えて、前記複数のセンサが原稿の端部を検知することを特徴とする請求項２記載の画像形成装置。
【請求項４】
前記変倍手段が所定の転写紙に対して、原稿の縦、原稿の横、どちらか変倍率の低い方の変倍率で変倍を行うことを特徴とする請求項１、請求項２または請求項３記載の画像形成装置。
【請求項５】
所定の転写紙に対して、原稿の縦、原稿の横、独立して変倍率を前記操作・表示手段が受け付けることを特徴とする請求項１から請求項４いずれか１項に記載の画像形成装置。
【請求項６】
前記記録・印字手段が原稿の画像を所定の転写紙に出力する際、原稿画像の比率が合わない画像が出力されることを、前記操作・表示手段に、警告メッセージとして表示することを特徴とする請求項１から請求項５いずれか１項に記載の画像形成装置。
【請求項７】
警告メッセージを表示する、表示しないを切り替える切替手段をさらに備えたことを特徴とする請求項６記載の画像形成装置。
【請求項８】
前記変倍手段による変倍処理機能を機能する／しないを切り替える選択手段をさらに備えたことを特徴とする請求項１から請求項５いずれか１項に記載の画像形成装置。
【発明の詳細な説明】
【技術分野】
【０００１】
本発明は、複写機、ファクシミリ、プリンタ、印刷機等の画像形成装置において、ミリ系の原稿、インチ系の原稿を用紙にあわせて変倍可能な画像形成装置に関する。
【背景技術】
【０００２】
画像形成装置により原稿を所定の用紙に画像形成を行う際、原稿のサイズとユーザーが希望する用紙のサイズが一致しない場合がある。このような場合に、画像形成装置が、用紙のサイズに合わせて原稿データを自動的に変倍処理して出力すれば、ユーザーにとって、大変便利である。そこで、この変倍処理の技術が特許文献１に提案されている。
また、変倍処理の前提として、ＡＢ系の用紙とインチ系の用紙を適切に区別して、原稿のサイズを検知する技術が特許文献２に記載されている。
【特許文献１】特開２００３−６０９０１公報
【特許文献２】特開２００２−１６０８２８公報
【０００３】
特許文献１記載の発明では、原稿読み取り動作に伴い検出された原稿サイズと、指定された用紙サイズから原稿に対する用紙の縦倍率および横倍率を計算し、小さい方を画像形成時の倍率として決定することで、一度の読み取り動作で画像に欠けのない画像形成を行うようにしている。
また、特許文献２記載の発明では、スライド移動可能な１対の用紙の側縁規制部材を設け、この側縁規制部材の移動量を検出することにより、用紙のサイズを検出している。
【発明の開示】
【発明が解決しようとする課題】
【０００４】
ところで、通常、画像形成に用いられている用紙には、ミリ原稿（Ａ系列原稿、Ｂ系列原稿）と、インチ原稿〔Ｅｎｇｉｎｅｅｒｉｎｇ系（以後、Ｅｎｇ系）、Ａｒｃｈｉｔｅｃｔｕｒｅ系（以後Ａｒｃ系）〕がある。広幅の原稿を画像形成できる装置であっても、原稿サイズがミリ系、インチ系と多数存在する中で、その原稿サイズが全て用紙サイズにあった変倍率でコピーすることは、現状では不可能であった。
そこで、本発明の第１の目的は、各種の原稿サイズを検知することで、用紙サイズにあった変倍率を自動で設定して制御できる画像形成装置を提供することである。
本発明の第２の目的は、原稿サイズを検知するセンサを、操作部で設定したミリ系およびインチ系の４モードに切り替えて、原稿サイズを全て検知できることが可能な画像形成装置を提供することである。
【０００５】
本発明の第３目的は、原稿の縦横サイズが転写紙の縦横サイズに合わせるための変倍率に相違（縦変倍率／横変倍率）がある場合、低い方を基準にして縦横変倍することによって原稿の画像を縦横同じ変倍率で画像形成可能な画像形成装置を提供することである。
本発明の第４の目的は、原稿の縦横サイズが転写紙の縦横サイズに合わせるための変倍率に相違（縦変倍率／横変倍率）がある場合でも、縦横の変倍率を独立して設定し、転写紙に画像を合わせて変倍し、画像形成可能な画像形成装置を提供することである。
【０００６】
本発明の第５の目的は、縦横の変倍率に相違がある場合、警告メッセージを表示して、ユーザーの判断を受けた後に画像形成が開始できる画像形成装置を提供することである。
本発明の第６の目的は、警告メッセージを表示する／表示しないを切り替えることが可能な画像形成装置を提供することである。
本発明の第７の目的は、各機能を動作する／動作しないを切り替えることが可能な画像形成装置を提供することである。
【課題を解決するための手段】
【０００７】
請求項１記載の発明では、画像形成装置が、原稿の画情報を読み取る画情報読取手段と、この画情報読取手段で読み取った画情報を所定の転写紙に形成する記録・印字手段と、前記画情報読取手段で読み取った画像情報を記憶する画情報メモリと、この画情報メモリに記憶された画情報を編集する画情報編集手段と、この画情報編集手段で画情報を編集する際、当該画情報を変倍する変倍手段と、各種設定を受け付ける操作・表示手段と、前記画情報読取手段に原稿が設置された際、当該原稿の端部を検知する複数のセンサと、前記複数のセンサのうちどのセンサが原稿の端部を検知したかで、当該原稿のサイズを判断する判断手段と、を備え、前記判断手段の判断を基に、操作・表示手段で受け付けた各種設定に応じて、前記変倍手段が変倍処理を行うことにより、前記第１の目的を達成する。
請求項２記載の発明では、請求項１記載の発明において、前記複数のセンサは、４個のセンサであり、その検知位置で当該原稿がミリ原稿（Ａ系列原稿、Ｂ系列原稿）と、インチ原稿（Ｅｎｇ系原稿、Ａｒｃ系原稿）のいずれかであることを検知することを特徴とする。
【０００８】
請求項３記載の発明では、請求項２記載の発明おいて、前記操作・表示手段で設定を受け付けることにより、ミリ系およびインチ系の４モードに切り替えて、前記複数のセンサが原稿の端部を検知することにより、前記第２の目的を達成する。
請求項４記載の発明では、請求項１、請求項２または請求項３記載の発明おいて、前記変倍手段が所定の転写紙に対して、原稿の縦、原稿の横、どちらか変倍率の低い方の変倍率で変倍を行うことにより、前記第３の目的を達成する。
を特徴とする請求項１、請求項２または請求項３記載の画像形成装置。
請求項５記載の発明では、請求項１から請求項４いずれか１項に記載の発明のおいて、所定の転写紙に対して、原稿の縦、原稿の横、独立して変倍率を前記操作・表示手段が受け付けることにより、前記第４の目的を達成する。
【０００９】
請求項６記載の発明では、請求項１から請求項５いずれか１項に記載の発明において、前記記録・印字手段が原稿の画像を所定の転写紙に出力する際、原稿画像の比率が合わない画像が出力されることを、前記操作・表示手段に、警告メッセージとして表示することにより、前記第５の目的を達成する。
請求項７記載の発明では、請求項６記載の発明のおいて、警告メッセージを表示する、表示しないを切り替える切替手段をさらに備えたことにより、前記第６の目的を達成する。
請求項８記載の発明では、請求項１から請求項５いずれか１項に記載の発明のおいて、前記変倍手段による変倍処理機能を機能する／しないを切り替える選択手段をさらに備えたことにより、前記第７の目的を達成する。
【発明の効果】
【００１０】
本発明では、センサの検知方法を第１原稿群、第２原稿群、第３原稿群、第４原稿群、第５原稿群と分けて原稿サイズを検知することにより、あらゆる原稿サイズに対して、装置にセットした転写紙で用紙に合わせた変倍ができる。
【発明を実施するための最良の形態】
【００１１】
以下、本発明の好適な実施の形態を図１ないし図１５を参照して、詳細に説明する。
図１は、本実施の形態に係る画像形成装置の外観を示した全体図であり、図２は、この画像形成装置の全体構成を示したブロック図である。
図２に示すよに、この画像形成装置は、操作・表示部１０、画情報読み取り部１２、画情報メモリ部１４、画情報編集部１６、記録・印字部１８、システム制御部２０、システムメモリ部２２、ＲＴＣ２４、電源装置２６、ＩＯ部２８、ヒータ部３０およびモータ、ヒータなどの各種駆動系３２より構成されている。
【００１２】
第１の実施の形態は、原稿のサイズを検知して、転写紙にあった用紙に変倍することに関する。原稿サイズは、図３に示すように、ミリ系（Ａ系列／Ｂ系列）のサイズと、インチ系（Ｅｎｇ系列／Ａｒｃ系列）のサイズが存在する。そのサイズを図３に示す第１センサから第４センサのセンサの位置で検知したサイズを、図７に示す表のように第１原稿群、第２原稿群、第３原稿群、第４原稿群、第５原稿群に分けて検知し、あらゆる原稿サイズを検知できるようにする。
また、第１原稿群の中には、図４に示すように４種類の異なる原稿が存在する。
【００１３】
第２の実施の形態は、原稿サイズを検知した種類により切り替えることに関する。
図３に示すように、原稿のサイズは、ミリ系／インチ系などの原稿が存在する。その原稿を検知した位置によって切り替えられるようにする。
この処理手順を図１０から図１３のフローチャート参照して説明する。
まず、第１センサから第４センサを用いてサイズを検知する（図１０、ステップ１０）。その結果、Ａ系サイズの場合は、ステップ１１へ進み、Ｂ系サイズの場合、図１１へ、Ｅｎｇ系サイズは図１２へ、Ａｒｃ系サイズは図１３へ進む。
そして、第４センサがＯＮのとき（ステップ１１；ＯＮ）、Ａ０サイズを用い（ステップ１６）、第３センサがＯＮのとき（ステップ１２；ＯＮ）、Ａ１サイズを用い（ステップ１７）、第２センサがＯＮのとき（ステップ１３；ＯＮ）、Ａ２サイズを用い（ステップ１８）、第１センサがＯＮのとき（ステップ１４；ＯＮ）、Ａ３サイズを用い（ステップ１９）、第１センサがＯＦＦのとき（ステップ１４；ＯＦＦ）、Ａ４サイズを用いる（ステップ１５）。
【００１４】
また、Ｂ系サイズの場合は、図１１のフローチャートに示す処理を行う。すなわち、第４センサがＯＮのとき（ステップ２１；ＯＮ）、Ｂ０サイズを用い（ステップ２６）、第３センサがＯＮのとき（ステップ２２；ＯＮ）、Ｂ１サイズを用い（ステップ２７）、第２センサがＯＮのとき（ステップ２３；ＯＮ）、Ｂ２サイズを用い（ステップ２８）、第１センサがＯＮのとき（ステップ２４；ＯＮ）、Ｂ３サイズを用い（ステップ２９）、第１センサがＯＦＦのとき（ステップ２４；ＯＦＦ）、Ｂ４サイズセットを用いる（ステップ２５）。
【００１５】
次に、Ｅｎｇ系サイズの場合は、図１２のフローチャートに示す処理を行う。すなわち、第４センサがＯＮのとき（ステップ３１；ＯＮ）、Ｅｎｇ系Ｅサイズを用い（ステップ３６）、第３センサがＯＮのとき（ステップ３２；ＯＮ）、Ｅｎｇ系Ｄサイズを用い（ステップ３７）、第２センサがＯＮのとき（ステップ３３；ＯＮ）、Ｅｎｇ系Ｃサイズを用い（ステップ３８）、第１センサがＯＮのとき（ステップ３４；ＯＮ）、Ｅｎｇ系Ｂサイズを用い（ステップ３９）、第１センサがＯＦＦのとき（ステップ３４；ＯＦＦ）、Ｅｎｇ系Ａサイズを用いる（ステップ３５）。
【００１６】
続いて、Ａｒｃ系サイズの場合は、図１３のフローチャートに示す処理を行う。すなわち、第４センサがＯＮのとき（ステップ４１；ＯＮ）、Ａｒｃ系Ｅサイズを用い（ステップ４６）、第３センサがＯＮのとき（ステップ４２；ＯＮ）、Ａｒｃ系Ｄサイズを用い（ステップ４７）、第２センサがＯＮのとき（ステップ４３；ＯＮ）、Ａｒｃ系Ｃサイズを用い（ステップ４８）、第１センサがＯＮのとき（ステップ４４；ＯＮ）、Ａｒｃ系Ｂサイズを用い（ステップ４９）、第１センサがＯＦＦのとき（ステップ４４；ＯＦＦ）、Ａｒｃ系Ａサイズを用いる（ステップ４５）。
【００１７】
次に、具体例をあげて、この実施の形態の処理を説明する。まず、操作・表示部１０で、検知する原稿の種類を設定する。この原稿は、インチ系：Ｅｎｇ系列の原稿とし、これを所定の位置にセットする。その結果、原稿の端部を第４センサが検知せず、第３センサが検知した場合（図１２、ステップ３２；ＯＮに該当）、センサ情報を取得してサイズ情報（Ｅｎｇ系列：Ｄサイズ）をシステム制御部２０に送信する。そして、原稿情報と転写紙情報を基に変倍率を計算する。
【００１８】
次に、第３の実施の形態を説明する。
この実施の形態は、転写紙に合わせた変倍方法を切り替えて縦横変倍率の低い方で縦横変倍することに関する。
同系列の原稿サイズを同系列の転写紙で出力する場合は、縦横の変倍率は同じであるが、異系列原稿サイズや、転写紙サイズで変倍する場合は、縦横の変倍率に相違が発生することとなる。低い方の変倍率で設定して画像形成すること（以後：原稿優先モード）により、画像が転写紙にはみ出すことなく形成できる。また、原稿サイズの縦横の比率を保つことができる。
【００１９】
この処理手順を図１４のフローチャートを参照して説明する。
まず、変倍モードが通常の変倍モードかインチ／ミリ変倍モードかを判断し（ステップ５０）、インチ／ミリ変倍モードの場合、転写紙サイズのデータを取得する（ステップ５１）。そして、インチ／ミリ変倍モード時の原稿モードがＡ系列モードか、Ｂ系列モードか、Ｅｎｇ系列モードかまたはＡｒｃ系列モードかを判断する（ステップ５２）。
その結果、原稿モードがＡ系列モードの場合、Ａ系列モードのサイズデータを取得し（ステップ５３）、Ｂ系列モードであった場合、Ｂ系列モードのサイズデータを取得し（ステップ５４）、Ｅｎｇ系列モードであった場合、Ｅｎｇ系列モードのサイズデータを取得し（ステップ５５）、Ａｒｃ系列モードであった場合、Ａｒｃ系列モードのサイズデータを取得する（ステップ５６）。
【００２０】
ステップ５３からステップ５６のサイズデータの取得は、第１から第４のいずれのセンサがＯＮしているかで判断する。そして、取得した転写紙サイズと原稿サイズから縦横の変倍率を計算する（ステップ５７）。そして、当該複写が原稿優先モードで行うか、転写紙優先モードで行うかを取得する（ステップ５８）。その結果、原稿優先モードの場合、縦／横の小さい方の変倍率を縦／横の変倍データとしてセットし（ステップ５９）、転写紙優先モードの場合、計算した縦／横の変倍率を独立した縦／横の変倍データとしてセットする（ステップ６０）。その後、複写動作を開始する。
【００２１】
この第３の実施の形態の具体例を説明する。
まず、操作・表示部１０で転写紙優先モードと原稿優先モードから原稿優先モードを選択し、原稿をセットする。この原稿は、Ａ４サイズとして検知される（縦２９７ｍｍ、横２１０ｍｍ）。そして、転写紙のサイズを取得する。この転写紙のサイズは、Ｅｎｇ系：Ａサイズ（縦２７９ｍｍ、横２１６ｍｍ）であった。
ここで、縦サイズの計算：２７９ｍｍ／２９７ｍｍ＝９３．９％、および横サイズの計算：２１６ｍｍ／２１０ｍｍ＝１０２．９％を行う。
そして、縦横の変倍率の低い方を縦横の変倍率にセットし、コピーを開始する。
【００２２】
次に、第４の実施の形態を説明する。
この実施の形態は、転写紙に合わせた変倍方法を切り替えて、縦横変倍率の計算をして縦横独立で変倍することが特徴である。
同系列の原稿サイズを同系列の転写紙で出力する場合は、縦横の変倍率は同じであるが、異系列原稿サイズや、転写紙サイズで変倍する場合は、縦横の変倍率に不可避的に相違が発生する。計算した変倍率をそのまま縦横の変倍に独立して設定し、画像形成することにより、（以後：転写紙優先モード）画像が転写紙全面に形成することができるが、原稿の縦横の比率を保てなくなる。
【００２３】
この第４の実施の形態を図１５のフローチャートを参照して説明する。
ステップ７０からステップ８０は、図１４のフローチャートのステップ５０からステップ６０と同一処理なので説明を省略する。
そして、ステップ７９で、原稿優先モードの場合、縦／横の小さい方の変倍率を縦／横の変倍データとしてセットしたとき、縦の変倍率が大きいか否かを判断する（ステップ８１）。その結果、縦の変倍率が大きい場合は（ステップ８１；大）、警告メッセージ１を表示し（ステップ８３）、小さい場合は（ステップ８１；小）、警告メッセージ２を表示する（ステップ８４）。
一方、ステップ８０で、転写紙優先モードの場合、計算した縦／横の変倍率を独立した縦／横の変倍データとしてセットし、縦の変倍率が大きいか否かを判断する（ステップ８２）。その結果、縦の変倍率の方が大きい場合は（ステップ８２；大）、警告メッセージ３を表示し（ステップ８５）、小さい場合は（ステップ８２；小）、警告メッセージ４を表示する（ステップ８６）。
その後、スタートキーが押下されれば（ステップ８７；スタートキー）、コピーを開始し、ストップキーが押下されれば（ステップ８７；ストップキー）、コピーを行わず、スタートへ戻る。
なお、ステップ８１およびステップ８２で縦の変倍率が等しい場合は、コピーを開始する。
【００２４】
この第４の実施例での具体例を説明する。この実施例では、図８、図９の表を参照して処理を行う。
（１）操作・表示部１０で転写紙優先モードに設定する。
（２）原稿をセットする。（Ａ４サイズ検知（縦２９７ｍｍ、横２１０ｍｍ））
（３）転写紙のサイズを取得する。（Ｅｎｇ系：Ａサイズ（縦２７９ｍｍ、横２１６ｍｍ））
（４）縦サイズの計算：２７９ｍｍ／２９７ｍｍ＝９３．９％
（５）横サイズの計算：２１６ｍｍ／２１０ｍｍ＝１０２．９％
（６）縦横の変倍率を縦：９３．９％、横：１０２．９％と独立してセットする。
（７）コピーを開始する。
【００２５】
次に、第５の実施例を説明する。
転写紙に合わせた変倍方法を切り替えて縦横変倍率の計算をすると、縦横の変倍率が違うので、そのまま画像を形成すると余白が発生したり、原稿の画像に対して縦横の比率が変わってきてしまう。その時に、ユーザーにそのまま画像形成していいかを問い合わせてからコピー出力を開始する（図１５のフローチャートステップ８３からステップ８６を参照）。
まず、図８の表中の網掛け部分の時に警告メッセージを表示する。
（１）操作・表示部１０で原稿優先モードに設定する。
（２）原稿をセットする。（Ａ２サイズ検知（縦５９４ｍｍ、横４２０ｍｍ））
（３）転写紙のサイズを取得する。（Ｅｎｇ系：Ｃサイズ（縦５５９ｍｍ、横４３２ｍｍ））
（４）縦サイズの計算：５５９ｍｍ／５９４ｍｍ＝９４．１％
（５）横サイズの計算：４３２ｍｍ／４２０ｍｍ＝１０２．９％
（６）縦横の変倍率の低い方を縦横の変倍率にセットする。
（７）図５に示すように、“ヨコ方向に余白のある画像が出力されます”との表示が操作・表示部１０に表示される。
（８）スタートキーを押下する。
（９）コピーを開始する。
【００２６】
次に、第６の実施例を説明する。
この実施例では、第５の実施例において、警告メッセージを表示する／しないを設定可能としている。
（１）操作・表示部１０で警告メッセージをオフに設定する。
（２）操作・表示部で原稿優先モードに設定する。
（３）原稿をセットする。（Ａ２サイズ検知（縦５９４ｍｍ、横４２０ｍｍ））
（４）転写紙のサイズを取得する。（Ｅｎｇ系：Ｃサイズ（縦５５９ｍｍ、横４３２ｍｍ））
（５）縦サイズの計算：５５９ｍｍ／５９４ｍｍ＝９４．１％
（６）横サイズの計算：４３２ｍｍ／４２０ｍｍ＝１０２．９％
（７）縦横の変倍率の低い方を縦横の変倍率にセットする。
（８）“ヨコ方向に余白のある画像が出力されます”表示が図５に示すように操作・表示部１０に表示される。
（９）スタートキーを押下せずにコピー開始。
【００２７】
次に、第７の実施例を説明する。
前記の機能を全てオン／オフできるようにする。操作・表示部１０でオフに設定することにより、図６に示すように、転写紙の両脇に余白のある通常コピーモードに設定できる。
【図面の簡単な説明】
【００２８】
【図１】本実施の形態に係る画像形成装置の外観を示した全体図である。
【図２】本実施の形態に係る画像形成装置の全体構成を示したブロック図である。
【図３】原稿幅サイズの検知位置を示した図である。
【図４】第１原稿群に４種類の異なる原稿が存在することを示した図である。
【図５】警告メッセージの表示を示した図である。
【図６】原稿がＡ４サイズに対して、転写紙がＢ４サイズの場合にできる余白部分を示した図である。
【図７】あらゆる原稿サイズを検知できることを示した図である。
【図８】原稿と転写紙の縦横の比率を示した図である。
【図９】原稿と転写紙の縦横の比率を示した図である。
【図１０】Ａ系サイズの場合の処理手順を示したフローチャートである。
【図１１】Ｂ系サイズの場合の処理手順を示したフローチャートである。
【図１２】Ｅｎｇ系サイズの場合の処理手順を示したフローチャートである。
【図１３】Ａｒｃ系サイズの場合の処理手順を示したフローチャートである。
【図１４】原稿優先モードにより、原稿サイズの縦横の比率を保ち、画像が転写紙からはみ出すことなく形成できることを示したフローチャートである。
【図１５】転写紙に合わせて変倍方法を切り替える際、使用者の指示によりコピーを出力することを示したフローチャートである。
【符号の説明】
【００２９】
１０  操作・表示部
１２  画情報読み取り部
１４  画情報メモリ部
１６  画情報編集部
１８  記録・印字部
２０  システム制御部
２２  システムメモリ部
２４  ＲＴＣ
２６  電源装置
２８  ＩＯ部
３０  ヒータ部
３２  モータ、ヒータなどの各種駆動系
【図１】
2006080796.tif 000003
【図２】
2006080796.tif 000004
【図３】
2006080796.tif 000005
【図４】
2006080796.tif 000006
【図５】
2006080796.tif 000007
【図６】
2006080796.tif 000008
【図７】
2006080796.tif 000009
【図８】
2006080796.tif 000010
【図９】
2006080796.tif 000011
【図１０】
2006080796.tif 000012
【図１１】
2006080796.tif 000013
【図１２】
2006080796.tif 000014
【図１３】
2006080796.tif 000015
【図１４】
2006080796.tif 000016
【図１５】
2006080796.tif 000017